(57)【要約】      （修正有）【課題】電子機器と一体的に保持され、電源コード等のケーブルを確実に抜け止めする。【解決手段】電子機器筺体のソケット組立体５０のソケット（ＡＣインレット又はアウトレット）５１の近傍の支柱５２に、回転軸部６１、略Ｌ字状のアーム部６２および中央に略半円形部６４が形成された連結部６３を含むワイヤ６０を回転可能に軸支する。このワイヤ６０は、ケーブル７１の非接続状態では、板ばね５３により倒れた状態（ワイヤ６０のアーム部６２が電子機器筺体面と略平行状態）に保持され、ケーブル７１の接続時には、起立させてケーブルの肩部７３に押圧部６３を押圧させて抜け止めする。【選択図】図１Ｂ
2005038785.tif 000002
【特許請求の範囲】
【請求項１】
電子機器の筺体に取り付けられたソケットを介して前記電子機器の動作電源の供給を受け又は前記電子機器から他の電子機器に動作電源を供給する着脱可能なケーブルの接続時の抜けを防止するケーブル抜け止め装置において、
前記ケーブルの前記ソケットへの接続部近傍に回転自在に取り付けられたワイヤを含み、前記ケーブルの接続時に前記ケーブルの前記接続部近傍の肩部を前記ワイヤで押圧することを特徴とするケーブル抜け止め装置。
【請求項２】
前記ワイヤは、前記ケーブルが接続前のとき、回転軸を中心に前記電子機器の筺体面に沿って略平行になるようにばね部により固定されることを特徴とする請求項１に記載のケーブル抜け止め装置。
【請求項３】
前記ワイヤは、前記ケーブルの抜け止め時に前記ソケットの一側から反対側へ向けて前記ケーブルの接続方向と直交方向へ延びる部分および前記ケーブルの接続方向へ延びる部分を含む１対の略Ｌ字状のアーム部を有することを特徴とする請求項１又は２に記載のケーブル抜け止め装置。
【請求項４】
前記ワイヤは、前記１対のアーム部の前記回転軸部と反対側に前記ケーブル端部近傍の肩部を押圧する押圧部を有することを特徴とする請求項３に記載のケーブル抜け止め装置。
【請求項５】
前記ワイヤの前記押圧部の中央には、前記ケーブルの寸法に対応する寸法の略半円形部が形成されていることを特徴とする請求項４に記載のケーブル抜け止め装置。
【請求項６】
前記ワイヤは、ピアノ線等の弾性を有する金属により形成されることを特徴とする請求項１乃至５の何れかに記載のケーブル抜け止め装置。
【請求項７】
前記ワイヤの回転軸部および前記ケーブル接続前に前記ワイヤを保持する前記ばね部は、一体的に形成されることを特徴とする請求項１乃至６の何れかに記載のケーブル抜け止め装置。
【発明の詳細な説明】
【技術分野】
【０００１】
本発明はケーブル抜け止め装置に関し、特にパーソナルコンピュータ（ＰＣ）等の電子機器の電源コード等の抜け止め装置に関する。
【背景技術】
【０００２】
ＰＣその他の電子機器、特に携帯型電子機器の場合には、オフィス等で使用する場合には電源コードを商用電源に接続して必要とする動作電力を得ている。しかし、携帯移動して商用電源が得られない場所で使用する際には、内蔵された電池等から動作電源の供給を受けるので、電源コード（又はケーブル）は電子機器本体から着脱自在に構成されているのが一般的である。即ち、商用電源が得られない場所で使用する際に、使用されず且つ邪魔となる電源コード等は電子機器本体から抜去することにより、電子機器の携帯性を改善する。
【０００３】
一方、オフィス又は家庭等で使用する際には、商用電源が利用できるので、電源コードを電子機器本体に接続して商用電源から動作電源を得て、内蔵電池による動作を避けて高価な内蔵電池の消耗を阻止する。しかし、商用電源で動作中に、その電子機器のオペレータ（操作者）又は他人が電源コードを引っ掛けて、電源コードを電子機器本体から抜去するという偶発的事故により、電子機器の破損又はその電子機器のデータ等を破損又は消滅することがあり得る。
【０００４】
電子機器の斯かる電源コードの偶発的事故を回避する必要がある。そこで、接続された電源コードが、電子機器本体から容易に抜去できないように、接続状態を保持（クランプ）するケーブル抜け止め装置が必要である。斯かるケーブル抜け止め技術は、いくつかの従来技術に開示されている。例えば、ソケットに挿入後に、プラグを抜け止めカバーによりソケット取付金具に固定し、プラグをソケットから抜去する前にソケット取付金具からプラグ抜け止めカバーを取り外すプラグ抜け止め構造が開示されている（例えば、特許文献１参照。）。
【０００５】
この従来技術は、図３に斜視図で示す如く、電源パネル３に中央面部１１および両側部１２、１３を有するソケット取付金具１が取り付けられている。このソケット取付金具１のソケット嵌入孔１４には、ソケット４がねじ５により取り付けられている。そして、このソケット４には、電源コード６の一端に接続されたプラグ７が着脱自在に接続される。プラグ７の接続後、抜け止めカバー２にてプラグ７をソケット取付金具１のソケット嵌入孔１４に装着して、プラグ７の抜け止めを行う。この抜け止めカバー２は、中央部２１、左片部２２および右片部２３を有する略コ字状の弾性板で形成された、左片部２２の自由端部の近傍にスリット２５が形成され、右片部２３の自由端部には折曲片２６が形成される。また、抜け止めカバー２の右片部２３から中央部２１の略中央まで延びるコード通し溝２４が形成されている。
【０００６】
上述のプラグ抜け止め構造により、プラグ７をソケット４に接続した後、電源コード６をコード通し溝２４に通して、抜け止めカバー２のスリット２５をソケット嵌入孔１４の左側の突部（図示せず）に嵌め、右片部２３を指等で押圧して曲げ、ソケット嵌入孔１４に挿入する。その後、押圧を解放すると、折曲片２６がソケット嵌入孔１４の側縁に係合して、プラグ７をソケット４に抜け止めする。プラグ７をソケット４から抜去するには、抜け止めカバー２を、上述した動作と逆の操作で、ソケット嵌入孔１４から抜き取り、その後にプラグ７をソケット４から引き抜く。
【０００７】
また、携帯用無線機器等の電子機器において、プラグに接続されたマイクやイヤホンのケーブルを保持するケーブル保持装置が開示されている（例えば、特許文献２参照。）。図４に示す如く、ケーブル４５の一端に接続されたプラグ４７を電子機器の筺体４２のジャック４３に挿入接続する。このケーブル４５に外力が加えられて、プラグ４７に破損等を生じるのを防止するために、ケーブル４５のプラグ４７の近傍にリング４４を挿通し、このリング４４にナス環４６を取り付ける。そして、このナス環４６を筺体４２の掛け金具４１に引っ掛ける。これにより、ケーブル４５に加えられる外力の大部分は、リング４４およびナス環４６を介して掛け金具４１に加えられるので、プラグ４７に過大な外力が加えられることによる破損を防止する。
【０００８】
【特許文献１】実開昭６１−１７６７８３号公報（第５−６頁、第２図）
【特許文献２】実開昭６１−１０６０８３号公報（第３−４頁、第１図）
【０００９】
しかし、上述の如き従来技術には幾つかの欠点乃至課題を有する。先ず、第１従来技術の場合には、抜け止めカバー２が、プラグ７と別体であるので、一度抜去すると紛失し易く且つ保管が不便であり、更に脱落すると誤って踏み付けて破損する恐れがあり、抜け止めカバーが常時所期の目的を達成することを期待できない。また、第２従来技術は、プラグ４７をケーブル４５に加えられる外力から確実に保護することが困難であり、リング４４をケーブル４５に装着するのが困難であり、しかも電源ケーブル等への適用にはふさわしくない。
【発明の開示】
【発明が解決しようとする課題】
【００１０】
解決しようとする問題点は、電源プラグ等に接続されたケーブルに加えられる外力からプラグを確実に保護する比較的簡単な構成のケーブル抜け止めを可能とする点である。
【課題を解決するための手段】
【００１１】
前述の課題を解決するため  本発明は、次のような特徴的な構成を採用するケーブル抜け止め装置である。
【００１２】
（１）  電子機器の筺体に取り付けられたソケットを介して前記電子機器の動作電源の供給を受け又は前記電子機器から他の電子機器に動作電源を供給する着脱可能なケーブルの接続時の抜けを防止するケーブル抜け止め装置において、
前記ケーブルの前記ソケットへの接続部近傍に回転自在に取り付けられたワイヤを含み、前記ケーブルの接続時に前記ケーブルの前記接続部近傍の肩部を前記ワイヤで押圧するケーブル抜け止め装置。
【００１３】
（２）前記ワイヤは、前記ケーブルが接続前のとき、回転軸を中心に前記電子機器の筺体面に沿って略平行になるようにばね部により固定される上記（１）のケーブル抜け止め装置。
【００１４】
（３）前記ワイヤは、前記ケーブルの抜け止め時に前記ソケットの一側から反対側へ向けて前記ケーブルの接続方向と直交方向へ延びる部分および前記ケーブルの接続方向へ延びる部分を含む１対の略Ｌ字状のアーム部を有する上記（１）又は（２）のケーブル抜け止め装置。
【００１５】
（４）前記ワイヤは、前記１対のアーム部の前記回転軸部と反対側に前記ケーブル端部近傍の肩部を押圧する押圧部を有する上記（３）のケーブル抜け止め装置。
【００１６】
（５）前記ワイヤの前記押圧部の中央には、前記ケーブルの寸法に対応する寸法の略半円形部が形成されている上記（４）のケーブル抜け止め装置。
【００１７】
（６）前記ワイヤは、ピアノ線等の弾性を有する金属により形成される上記（１）乃至（５）の何れかのケーブル抜け止め装置。
【００１８】
（７）前記ワイヤの回転軸部および前記ケーブル接続前に前記ワイヤを保持する前記ばね部は、一体的に形成される上記（１）乃至（６）の何れかのケーブル抜け止め装置。
【発明の効果】
【００１９】
本発明のケーブル抜け止め装置によると、次の如き実用上の顕著な効果を有する。即ち、ケーブルの抜け止め防止装置は、ソケットと共締めされた支柱により回転自在に取り付けられたワイヤにより形成され、ワイヤは、ケーブルの接続又は非接続状態に拘わりなく支柱に回転自在に取り付けられているので、分離して紛失するおそれがなく且つ保管の手間がかからない。
【００２０】
また、ケーブル接続前または電子機器の収納状態等では、ワイヤは電子機器筺体面に隣接させて保持可能であるので、電子機器筐体面からの突出量を最小にすることが可能である。更に、ワイヤは、１対の略Ｌ字状のアーム部を有すると共に押圧部の中央にケーブルの寸法に対応する略半円形部を有するので、ワイヤを軸支する支柱をソケット中心から一方向にずらせてケーブルの着脱を容易にすると共に、押圧部がソケットの略中心を押圧するので、大きい力でケーブルを保持することが可能である。
【実施例１】
【００２１】
以下、本発明によるケーブル抜け止め装置の好適実施形態の構成および動作を、添付図面を参照して詳細に説明する。
【００２２】
図１および図２は、本発明のケーブル抜け止め装置の好適実施形態を示す。図１は、電子機器の収納状態又はケーブル接続前の状態を示し、図１Ａは平面図であり、図１Ｂは正面図である。一方、図２は、ケーブル接続状態又は電子機器の使用状態を示し、図２Ａは平面図であり、図２Ｂは正面図である。
【００２３】
ＰＣ等の電子機器本体（図示せず）には、ソケット組立体５０が適当な位置、例えば電子機器の背面又は側面パネルに取り付けられている。このソケット組立体５０は、ソケット（ＡＣインレット又はＡＣアウトレット）５１と１対の支柱５２および板ばね部５３を有する受け金具を有し、好ましくはねじ等により電子機器の筺体に共締めされている。この支柱５２は、ソケット（ＡＣインレット又はアウトレット）５１の中心近傍であるが、それから一方向、例えば右側へ少し位置ずれさせた位置に形成されている。
【００２４】
上述した受け金具の１対の支柱５２には対向位置に貫通孔５２ａが形成され、この貫通孔５２ａにクランプ用ワイヤ６０の両自由端が軸支されている。クランプ用ワイヤ６０は、好ましくはピアノ線等で形成され、相互に内向きに形成された両端の回転軸部６１、この回転軸部６１からＬ字状に延びる１対のアーム部６２および両アーム部６２を連結する押圧部（又は連結部）６３により構成される。この連結部６３の中央位置には、略半円形６４が形成されている。従って、このワイヤ６０は、平面図（図１および図２の（Ａ）参照）では略コ字状であり、正面図（図１および図２の（Ｂ）参照）では略Σ（又はＭ）字状である。そして、両端の回転軸部６１が、受け金具の支柱５２の貫通孔５２ａに回転自在に組み立てられている。
【００２５】
一方、ケーブル組立体７０は、所定長の電源ケーブル７１その一端に固定されたプラグ（又はコネクタ）７２を有する。このケーブル組立体７０は、例えば商用電源のコンセント（図示せず）からケーブル７１を介してＡＣ（又はＤＣ）電源を電子機器に供給するか、又は電子機器からＡＣ電源を他の電子機器等へ供給（フィードスルー）する。
【００２６】
次に、図１および図２を参照して、本発明のケーブル抜け止め装置の動作を説明する。図１は、ケーブル組立体７０をソケット組立体５０に接続前の状態である。そこで、ワイヤ６０は、ケーブル組立体７０の挿入方向に対して直交方向、即ちワイヤ６０のアーム部６２が電子機器の筺体面に略平行になるよう倒されている。ワイヤ６０は、板ばね（又はばね部）５３によりこの位置に保持され、電子機器の筺体の表面からの突出量を最小にしている。従って、電子機器の収納又は運搬時に、ワイヤ６０が破損されることはない。
【００２７】
次に、図２に示す如く、ケーブル組立体７０のプラグ７２を電子機器のソケット組立体５０にも受けられたＡＣインレット又はアウトレット５１に接続する。この接続後に、回転軸６１を中心にワイヤ６０を回転させて起立させる。すると、ワイヤ６０のアーム部６２の長尺部は、ケーブル７１の長手方向と一致し、ワイヤ６０の連結部６３がケーブル組立体７０のプラグ７２の肩部７３を押える。従って、この状態においてケーブル７１に外力が加えられても、プラグ７２がソケット組立体５０のＡＣインレット又はアウトレット５１から離脱することはなく、電源供給が遮断されて、例えばＰＣのデータが破壊される等の不測の事態を効果的に阻止することが可能である。
【００２８】
尚、ワイヤ６０の押圧部６３の中央位置には、ケーブル７１の寸法に対応する半円形部６４が形成されているので、ケーブル７１を効果的に避けてケーブル組立体７０を確実にクランプ（抜け止め）することが可能である。また、ケーブル７１は弾性を有するので、このワイヤ６０の押圧部６３の半円形部６４に挟持固定され、ワイヤ６０が起立位置から倒れて偶発的にクランプが簡単に解除されるのを阻止する。
【００２９】
以上、本発明によるケーブル抜け止め装置の好適実施形態の構成および動作を詳述した。しかし、斯かる実施形態は、本発明の単なる例示に過ぎず、何ら本発明を限定するものではない。本発明の要旨を逸脱することなく、特定用途に応じて、種々の変形変更が可能であること、当業者には容易に理解できよう。
【図面の簡単な説明】
【００３０】
【図１Ａ】本発明によるケーブル抜け止め装置の好適実施形態のケーブル接続前の状態を示す平面図である。
【図１Ｂ】本発明によるケーブル抜け止め装置の好適実施形態のケーブル接続前の状態を示す正面図である。
【図２Ａ】本発明によるケーブル抜け止め装置の好適実施形態のケーブル接続且つ抜け止め状態を示す平面図である。
【図２Ｂ】本発明によるケーブル抜け止め装置の好適実施形態のケーブル接続且つ抜け止め状態を示す正面図である。
【図３】ケーブル抜け止め装置の第１従来例の斜視図である。
【図４】ケーブル抜け止め装置の第２従来例の斜視図である。
【符号の説明】
【００３１】
５０  ソケット組立体
５１  ソケット（ＡＣインレット又はＡＣアウトレット）
５２  支柱
５３  ばね部（板ばね）
６０  ワイヤ
６１  回転軸部
６２  アーム部
６３  押圧部
６４  略半円形部
７０  ケーブル組立体
７１  ケーブル
７２  プラグ
７３  肩部
【図１Ａ】
2005038785.tif 000003
【図１Ｂ】
2005038785.tif 000004
【図２Ａ】
2005038785.tif 000005
【図２Ｂ】
2005038785.tif 000006
【図３】
2005038785.tif 000007
【図４】
2005038785.tif 000008